(57)【要約】      （修正有）【課題】造物側のＨ鋼に対する取り付けが決めて簡略容易であり、かつ、組み立て作業性に優れ、安全性も確保し得る仮設足場のＨ鋼用連結固定具を提供する。【解決手段】仮設足場のＨ鋼用連結固定具は、建造物７１側に設けたＨ鋼７２のフランジ７３に建枠を連結固定する仮設足場のＨ鋼用連結固定具１であって、建造物側基体２と、中間管状体２１とのスライド調整により、建造物側基体２の挟み片４と中間管状体２１の挟み片２２との間隔を対象とするＨ鋼７２のフランジ幅に対応させてフランジ７３を挟み込み、中間管状体２１と、足場側基体１１とのスライド調整により、足場側基体１１の足場連結部１２を垂直支柱５３ｂに対する連結最適位置として垂直支柱５３ｂに連結可能とし、これらを位置決め固定可能としたものである。【選択図】図１
0003187838.tif 000002
【実用新案登録請求の範囲】
【請求項１】
建造物側に設けたＨ鋼のフランジに建枠を連結固定する仮設足場のＨ鋼用連結固定具であって、
前記フランジの一端に係合させる挟み片を突設した基部と、この基部の端部から突設した嵌入管状部とを具備し、Ｈ鋼のフランジに沿って、かつ、前記建枠に向けて配置する建造物側基体と、
仮設足場の建枠に連結させる足場連結部と、この足場連結部の端部から突設した調製用外側管状部とを具備する足場側基体と、
一端側から内方に前記建造物側基体の嵌入管状部がスライド可能に嵌入されるとともに、一端側外周部に前記挟み片と対向配置に前記フランジの他端に係合させる挟み片を突設し、他端側を前記足場側基体の調製用外側管状部内にスライド可能に嵌入するようにした中間管状体と、
建造物側基体の嵌入管状部、中間管状体、足場側基体を位置決め連結する位置決め固定機構部と、
を有し、
建造物側基体と、中間管状体とのスライド調整により、建造物側基体の挟み片と中間管状体の挟み片との間隔を対象とするＨ鋼のフランジ幅に対応させてフランジを挟み込み、前記中間管状体と、前記足場側基体とのスライド調整により、前記足場側基体の足場連結部を建枠に対する連結最適位置として建枠に連結可能とし、これらを位置決め固定可能としたことを特徴とする仮設足場のＨ鋼用連結固定具。
【請求項２】
建造物側に設けたＨ鋼のフランジに建枠を連結固定する仮設足場のＨ鋼用連結固定具であって、
前記フランジの一端に係合させる挟み片を突設した基部と、この基部の端部から突設した嵌入管状部とを具備し、Ｈ鋼のフランジに沿って、かつ、前記建枠に向けて配置する建造物側基体と、
仮設足場の建枠に連結させる足場連結部と、この足場連結部の端部から突設した調製用外側管状部とを具備する足場側基体と、
一端側から内方に前記建造物側基体の嵌入管状部がスライド可能に嵌入されるとともに、一端側外周部に前記挟み片と対向配置に前記フランジの他端に係合させる挟み片を突設し、他端側を前記足場側基体の調製用外側管状部内にスライド可能に嵌入するようにした中間管状体と、
建造物側基体の嵌入管状部と中間管状体とのスライド位置を、前記両挟み片によりＨ鋼のフランジを挟み込む位置とし、中間管状体と足場側基体の調製用外側管状部とのスライド位置を、前記建枠に対する足場連結部が建枠に対して連結最適位置となる状態とし、前記嵌入管状部、中間管状体、調整用外側管状部をピン孔、固定ピン形式により位置決め連結する位置決め固定機構部と、
を有することを特徴とする仮設足場のＨ鋼用連結固定具。
【請求項３】
建造物側に設けたＨ鋼のフランジに建枠を連結固定する仮設足場のＨ鋼用連結固定具であって、
前記フランジの一端に係合させる挟み片を突設した基部と、この基部の端部から突設した嵌入管状部とを具備し、Ｈ鋼のフランジに沿って、かつ、前記建枠に向けて配置する建造物側基体と、
仮設足場の建枠に連結させる足場連結部と、この足場連結部の端部から突設した調製用外側管状部とを具備する足場側基体と、
一端側から内方に前記建造物側基体の嵌入管状部がスライド可能に嵌入されるとともに、一端側外周部に前記挟み片と対向配置に前記フランジの他端に係合させる挟み片を突設し、他端側を前記足場側基体の調製用外側管状部内にスライド可能に嵌入するようにした中間管状体と、
建造物側基体の嵌入管状部と中間管状体とのスライド位置を、前記両挟み片によりＨ鋼のフランジを挟み込む位置とし、中間管状体と足場側基体の調製用外側管状部とのスライド位置を、前記建枠に対する足場連結部が建枠に対して連結最適位置となる状態とし、前記嵌入管状部、中間管状体、調整用外側管状部をピン孔、固定ピン形式により位置決め連結する位置決め固定機構部と、
前記足場側基体における調製用外側管状部の一端側の内周部及び足場連結部側内周部に各々設けた雌ネジと、前記中間管状体の挟み片を突設した外周近傍位置及び他端側外周部に設けた各々設けた雄ネジと、を有し、足場側基体と中間管状体とを、前記Ｈ鋼と建枠との間隔、又は、Ｈ鋼のフランジ寸法に応じたスライド位置で、かつ、前記位置決め固定機構部における各ピン孔が合致する位置に螺合調整するネジ連結機構部と、
を有することを特徴とする仮設足場のＨ鋼用連結固定具。
【請求項４】
前記建造物側基体の挟み片と、前記中間管状体の挟み片とのスライド調整によるＨ鋼のフランジに対する挟み込み可能幅は、１００ｍｍから３００ｍｍの範囲であることを特徴とする請求項１乃至３のいずれかに記載の仮設足場のＨ鋼用連結固定具。
【請求項５】
前記建造物側基体の嵌入管状部、中間管状体、及び足場側基体の調製用外側管状部には、位置決め固定機構部として、各々所定間隔で４個ずつの固定ピンが嵌着可能な対応配置のピン孔が対応配置に設けられ、前記足場側基体の足場連結部の連結最適位置と、中間管状体のＨ鋼側端部とのスライド調整範囲を、２８５ｍｍから４３０ｍｍの範囲で４段階としたことを特徴とする請求項１乃至４のいずれかに記載の仮設足場のＨ鋼用連結固定具。
【請求項６】
前記請求項１乃至５のいずれかに記載の仮設足場のＨ鋼用連結固定具を備えることを特徴とする仮設足場。
【考案の詳細な説明】
【技術分野】
【０００１】
本考案は、建造物側のＨ鋼に対する取り付けが決めて簡略容易であり、かつ、組み立て作業性に優れ、安全性も確保し得る仮設足場のＨ鋼用連結固定具及び該Ｈ鋼用連結固定具を備える仮設足場に関するものである。
【背景技術】
【０００２】
従来、ビルディング等の建築工事現場等においては、例えば建築物の外壁に沿って建築工事に携わる作業者用の仮設足場を構築し、この仮設足場を利用して建築物の外壁工事作業等を実行するようにしている。
【０００３】
この場合、建築物の全幅や高さに応じて、仮設足場用の建枠を左右方向、上下方向に所要数連結して組み立て、高層階にわたる仮設足場とするものである。
【０００４】
以下、従来における工事現場の仮設足場の従来例について、図６及び図７を参照して概説する。
【０００５】
図６は従来の最上階を４階とした仮設足場５１の一部を概略的に示すものであり、この仮設足場５１は、建物の外壁方向に沿って平行配置したベース板５２、５２上に、所要数の鳥居型建枠５３を一定間隔を隔てつつ垂直、かつ、平行に配置し、隣り合う鳥居型建枠５３を交差筋交５４を用いて固定連結する。
【０００６】
そして、隣り合う鳥居型建枠５３の各上端連結杆５３ａ間に各足場板５５をフック係合により順に配置して、各足場板５５が建物の外壁方向に連なる２階用の水平な足場６１Ａを構築する。
【０００７】
３階用、４階用の水平な足場６１Ｂ、６１Ｃについても上述した場合と同様にして所要数の鳥居型建枠５３、交差筋交５４を用いて構築する。
【０００８】
図６に示す従来例においては、４階用の足場６１Ｃにおいて、各鳥居型建枠５３の垂直支柱５３ｂ上端から上方に向けて各々手摺柱５６を立設し、隣り合う手摺柱５６間における４階用の足場板５５に近い位置に下棧５７を、この下棧５７の上方に手摺６３を各々水平配置に取り付け、建築工事に携わる作業者の転落防止、安全性向上を図っている。
【０００９】
図７は、建造物７１に沿って一定間隔をもって構築する仮設足場５１が倒壊しないように、この仮設足場５１を建造物７１側に水平配置に固定配置されたＨ鋼７２のフランジ７３に固定連結する仮設足場固定連結構造を示すものである。
【００１０】
この仮設足場固定連結構造は、所定長さの単管パイプ８０を用意し、建造物７１側のＨ鋼７２のフランジ７３の底部に対して、単管パイプ８０の一端側を添着し、一対のキャッチクランプ８１、８１を用い、このキャッチクランプ８１、８１を手探り状態の基にフランジ７３と単管パイプ８０との間に取り付けて、これらを固定連結する。
【００１１】
一方、単管パイプ８０の他端側は鳥居型建枠５３の垂直支柱５３ｂに例えば直交クランプ８２を用いて固定連結する構造となっている。
【００１２】
しかし、上述した従来の仮設足場固定連結構造の場合、キャッチクランプ８１、８１によるフランジ７３と単管パイプ８０との連結作業は極めて煩雑で危険を伴うとともに、単管パイプ８０の長さ寸法が規格化され、Ｈ鋼７２と垂直支柱５３ｂとの間隔に適合せずに、図７に示すように、単管パイプ８０の他端側の端部が、垂直支柱５３ｂから仮設足場５１内の作業員が往来する空間領域に突出してしまう事態が多く、作業員が単管パイプ８０の端部に衝突して怪我をしたり、極端な場合には作業員の転落事故を招来するという危険性を伴うものであった。
【００１３】
特許文献１には、外縁に鋭角に交わる二辺を有する鋼材の一辺側を建物基礎の外側面に直交する水平方向に向け、他辺側を先端が外壁面から離れて上向きとなる斜め方向に向け、その折れ曲がった角部を建物基礎に接合し、その水平方向に突き出た一辺側の先端と斜め方向に突き出た他辺側の先端を建築工事足場の建て地に接合する構成からなる建築工事足場架設工法が提案されている。
しかし、特許文献１の技術を含め、建造物側のＨ鋼に対する取り付けが決めて簡略容易であり、組み立て作業性に優れ、安全性も確保し得るような仮設足場のＨ鋼用連結固定具は見当たらないのが現状である。
【先行技術文献】
【特許文献】
【００１４】
【特許文献１】特開平成６−２９９６９２号公報
【考案の概要】
【考案が解決しようとする課題】
【００１５】
本考案が解決しようとする問題点は、建造物側のＨ鋼に対する取り付けが決めて簡略容易であり、かつ、仮設足場側の端部が仮設足場内の作業員が往来する空間領域に突出するようなこともなく、組み立て作業性に優れ、安全性も確保し得るような仮設足場のＨ鋼用連結固定具が存在しない点である。
【課題を解決するための手段】
【００１６】
本考案は、建造物側に設けたＨ鋼のフランジに建枠を連結固定する仮設足場のＨ鋼用連結固定具であって、前記フランジの一端に係合させる挟み片を突設した基部と、この基部の端部から突設した嵌入管状部とを具備し、Ｈ鋼のフランジに沿って、かつ、前記建枠に向けて配置する建造物側基体と、仮設足場の建枠に連結させる足場連結部と、この足場連結部の端部から突設した調製用外側管状部とを具備する足場側基体と、一端側から内方に前記建造物側基体の嵌入管状部がスライド可能に嵌入されるとともに、一端側外周部に前記挟み片と対向配置に前記フランジの他端に係合させる挟み片を突設し、他端側を前記足場側基体の調製用外側管状部内にスライド可能に嵌入する中間管状体と、建造物側基体の嵌入管状部、中間管状体、足場側基体を位置決め連結する位置決め固定機構部と、を有し、建造物側基体と、中間管状体とのスライド調整により、建造物側基体の挟み片と中間管状体の挟み片との間隔を対象とするＨ鋼のフランジ幅に対応させてフランジを挟み込み、前記中間管状体と、前記足場側基体とのスライド調整により、前記足場側基体の足場連結部を建枠に対する連結最適位置として建枠に連結可能とし、これらを位置決め固定可能としたことを最も主要な特徴とする。
【考案の効果】
【００１７】
請求項１記載の考案によれば、このＨ鋼用連結固定具の建造物側のＨ鋼に対する取り付け構造が、両挟み片による挟み込み方式であるため、Ｈ鋼に対する取り付けが極めて簡略容易であり、かつ、仮設足場側の足場連結部を建枠に対する連結最適位置とすることができ、仮設足場内の作業員が往来する空間領域に足場連結部が突出するような不都合はなくなり、これにより、特にＨ鋼側における取り付け作業性に優れ、作業員の安全性も確保し得る仮設足場のＨ鋼用連結固定具を実現し提供することができる。
【００１８】
請求項２記載の考案によれば、請求項１記載の考案の効果を奏するとともに、前記嵌入管状部、中間管状体、調整用外側管状部の相互間をピン孔、固定ピン形式により位置決め連結する位置決め固定機構部を付加していることから、仮設足場と建造物側に設けたＨ鋼のフランジとを、前期各要素間に位置ずれを生じさせることなく、確実に連結することができる仮設足場のＨ鋼用連結固定具を実現し提供することができる。
【００１９】
請求項３記載の考案によれば、請求項２記載の考案の効果を奏するとともに、足場側基体における調製用外側管状部の一端側の内周部及び足場連結部側内周部に各々設けた雌ネジと、中間管状体の挟み片を突設した外周近傍位置及び他端側外周部に設けた各々設けた雄ネジと、を有し、足場側基体と中間管状体とを、前記Ｈ鋼と建枠との間隔、又は、Ｈ鋼のフランジ寸法に応じたスライド位置で、かつ、前記位置決め固定機構部における各ピン孔が合致する位置に螺合調整することで、足場側基体と中間管状体との連結強度を高めて、中間管状体の挟み片と、建造物側基体の挟み片との両者により、Ｈ鋼のフランジをより強固に挟み込むことができる仮設足場のＨ鋼用連結固定具を実現し提供することができる。
【００２０】
請求項４記載の考案によれば、請求項１乃至３のいずれかに記載の考案において、前記足場側基体の挟み片と、前記中間管状体の挟み片とのスライド調整によるＨ鋼のフランジに対する挟み込み可能幅は、１００ｍｍから３００ｍｍの範囲としているので、Ｈ鋼のフランジ寸法の大小に柔軟に対応し、かつ、簡略容易に両挟み片によりこのＨ鋼のフランジを挟み込むことが可能な仮設足場のＨ鋼用連結固定具を実現し提供することができる。
【００２１】
請求項５記載の考案によれば、請求項１乃至４のいずれかに記載の考案において、足場側基体の足場連結部の連結最適位置と、中間管状体のＨ鋼側端部とのスライド調整範囲を、２８５ｍｍから４３０ｍｍの範囲で４段階としたことにより、Ｈ鋼と仮設足場との設置間隔の相違に柔軟に対応し得る仮設足場のＨ鋼用連結固定具を実現し提供することができる。
【００２２】
請求項６記載の考案によれば、上述したような効果を奏するＨ鋼用連結固定具を備えることにより、仮設足場内の作業員が往来する空間領域に足場連結部が突出するような不都合はなくなり、作業員の安全性を確保でき、かつ、Ｈ鋼用連結固定具により確実に建造物側のＨ鋼に連結固定されることから、倒壊防止をも図ることができる仮設足場を実現し提供できる。
【図面の簡単な説明】
【００２３】
【図１】図１は本考案の実施例に係る仮設足場のＨ鋼用連結固定具の構成及びＨ鋼に対する取り付け態様を示す概略構成図である。
【図２】図２は本実施例に係るＨ鋼用連結固定具のＨ鋼に対する取り付け工程を示す説明図である。
【図３】図３は本実施例に係るＨ鋼用連結固定具を、仮設足場とＨ鋼との間隔が大きい場合に適用する例を示す概略構成図である。
【図４】図４は本実施例に係るＨ鋼用連結固定具を、フランジ寸法が大きいＨ鋼に適用する例を示す概略構成図である。
【図５】図５は本実施例に係るＨ鋼用連結固定具におけるネジ連結機構部に応用可能な雄ネジ、雌ネジを用いたネジ連結式の支柱構造を示す参考図である。
【図６】図６は一般的な仮設足場の斜視図である。
【図７】図７は従来の仮設足場をＨ鋼のフランジに固定連結する仮設足場固定連結構造を示す概略図である。
【考案を実施するための形態】
【００２４】
本考案は、建造物側のＨ鋼に対する取り付けが決めて簡略容易であり、かつ、仮設足場側の端部が仮設足場内の作業員が往来する空間領域に突出するようなこともなく、組み立て作業性に優れ、安全性も確保し得る仮設足場のＨ鋼用連結固定具を提供するという目的を、建造物側に設けたＨ鋼のフランジに建枠を連結固定する仮設足場のＨ鋼用連結固定具であって、前記フランジの一端に係合させる挟み片を突設した基部と、この基部の端部から突設した嵌入管状部とを具備し、Ｈ鋼のフランジに沿って、かつ、前記建枠に向けて配置する建造物側基体と、仮設足場の建枠に連結させる足場連結部と、この足場連結部の端部から突設した調製用外側管状部とを具備する足場側基体と、一端側から内方に前記建造物側基体の嵌入管状部がスライド可能に嵌入されるとともに、一端側外周部に前記挟み片と対向配置に前記フランジの他端に係合させる挟み片を突設し、他端側を前記足場側基体の調製用外側管状部内にスライド可能に嵌入する中間管状体と、建造物側基体の嵌入管状部と中間管状体とのスライド位置を、前記両挟み片によりＨ鋼のフランジを挟み込む位置とし、中間管状体と足場側基体の調製用外側管状部とのスライド位置を、前記建枠に対する足場連結部が建枠に対して連結最適位置となる状態とし、前記嵌入管状部、中間管状体、調整用外側管状部をピン孔、固定ピン形式により位置決め連結する位置決め固定機構部と、を有する構成により実現した。
【実施例】
【００２５】
以下、本考案の実施例に係る仮設足場のＨ鋼用連結固定具及び該Ｈ鋼用連結固定具を備える仮設足場について図面を参照して詳細に説明する。
以下説明する実施例におけるＨ鋼用連結固定具の各部分の寸法は、図示例に限定されるものでないことは勿論である。したがって、本考案に係る仮設足場用のＨ鋼用連結固定具における各部分の寸法は、実施例、図示例以外の自在な寸法として構成できる。
【００２６】
なお、本実施例において、図６に示す従来例の場合と同一の要素には同一の符号を付して示す。
【００２７】
本実施例に係る仮設足場５１のＨ鋼用連結固定具１は、図１、図２に示すように、建造物７１に沿って一定間隔をもって構築する仮設足場５１を建造物７１側に水平配置に固定配置されたＨ鋼７２のフランジ７３に固定連結するものである。
【００２８】
本実施例に係るＨ鋼用連結固定具１は、前記フランジ７３の一端に係合させる略くの字状の挟み片４を突設した基部３と、この基部３の端部から突設した例えば４個のピン孔５ａを有する嵌入管状部５とを具備し、Ｈ鋼７２のフランジ７３に沿って、かつ、前記仮設足場５１の鳥居型建枠５３に向けて配置する建造物側基体２と、前記仮設足場５１の鳥居型建枠５３における垂直支柱５３ｂに連結させる足場連結部１２と、この足場連結部１２の端部から突設した例えば４個のピン孔１３ｃを有する調製用外側管状部１３とを具備する足場側基体１１と、一端側から内方に前記建造物側基体２の嵌入管状部５がスライド可能に嵌入されるとともに、一端側外周部に前記挟み片４と対向配置に前記フランジ７３の他端に係合させる略くの字状の挟み片２２を突設し、他端側を前記足場側基体１１の調製用外側管状部１３内にスライド可能に嵌入する例えば４個のピン孔２１ｃを有する中間管状体２１と、建造物側基体２の嵌入管状部５と中間管状体２１とのスライド位置を、前記両挟み片４、２２によりＨ鋼７２のフランジ７３を挟み込む位置とし、中間管状体２１と足場側基体１１の調製用外側管状部１３とのスライド位置を、前記鳥居型建枠５３における垂直支柱５３ｂに対する足場連結部１２が前記垂直支柱５３ｂに対して連結最適位置となる状態とし、前記嵌入管状部５、中間管状体２１、調整用外側管状部１３の３者を重合構造状態の基に、前記ピン孔５ａ、ピン孔１３ｃ及びピン孔２１ｃと、所要数の固定ピン６とのピン結合構造で位置決め連結する位置決め固定機構部と、前記足場側基体１１の調製用外側管状部１３の一端側の内周部及び足場連結部１２側の内周部に各々設けた雌ネジ１３ａ、１３ｂと、前記中間管状体２１の挟み片２２を突設した外周近傍位置及び他端側外周部に各々設けた雄ネジ２１ａ、２１ｂと、を有している。
なお、前記嵌入管状部５、中間管状体２１、調整用外側管状部１３の夫々のピン孔の設置個数は、嵌入管状部５、中間管状体２１、調整用外側管状部１３の内のいずれか一つのピン孔が１個で、かつ、他の二つのピン孔が１又は２以上複数個として構成できることは勿論である。
【００２９】
更に、前記足場側基体１１と中間管状体２１とを、前記Ｈ鋼７２と前記鳥居型建枠５３の垂直支柱５３ｂとの間隔に応じたスライド位置で、前記雌ネジ１３ａと雄ネジ２１ａとのネジ結合、及び前記雌ネジ１３ｂと雄ネジ２１ｂとのネジ結合、又は、前記雌ネジ１３ａと雄ネジ２１ｂとのネジ結合で連結させるネジ連結機構部と、を有している。
【００３０】
図５には前記ネジ連結機構部のネジ結合部分に応用可能な雄ネジ、雌ネジを用いた下柱４１、上柱４２のネジ連結式の支柱構造を参考例として示す。
【００３１】
ここで、前記足場連結部１２の前記垂直支柱５３ｂに対する連結最適位置とは、図１等に示すように、足場連結部１２の突出方向中央位置Ｐが垂直支柱５３ｂの芯５３ｃと合致し、かつ、足場連結部１２の突出短が仮設足場の作業者通行領域に突出しないする位置を意味するものとして、以下の説明を行う。
【００３２】
次に、前記位置決め固定機構部を構成するピン孔５ａ、ピン孔１３ｃ及びピン孔２１ｃについて説明する。
【００３３】
前記嵌入管状部５の４個のピン孔５ａ、前記調製用外側管状部１３の４個のピン孔１３ｃ、前記中間管状体２１の４個のピン孔２１ｃは、いずれもその間隔Ｌを同一の寸法である例えば５０ｍｍ（Ｌ＝５０ｍｍ）に設定し、これにより、前記建造物側基体２、中間管状体２１、及び足場側基体１１を５０ｍｍずつ４段階にわたってスライド調整可能としている。
【００３４】
次に、図１、図２を参照して本実施例に係るＨ鋼用連結固定具１を用い仮設足場５１を建造物７１側のＨ鋼７２のフランジ７３に連結固定する態様について説明する。
【００３５】
なお、図１は、Ｈ鋼７２のフランジ７３に対する挟み込み可能幅が１００ｍｍ、中間管状体のＨ鋼７２側の端部と足場連結部１２の突出方向中央位置Ｐとの寸法が２８５ｍｍの例を示すものである。
【００３６】
まず、図２上欄に示すように、前記建造物側基体２の挟み片４をＨ鋼７２のフランジ７３の一端に当接するようにして基部３、嵌入管状部５を前記フランジ７３に沿って、かつ、鳥居型建枠５３に向けて配置する。
【００３７】
次に、図２中欄に示すように、に示すように、中間管状体２１を前記嵌入管状部５に対向配置し、この中間管状体２１を前記嵌入管状部５に嵌装し、前記挟み片４と対向配置となっている挟み片２２をＨ鋼７２のフランジ７３の他端に当接させ、両挟み片４、挟み片２２によりＨ鋼７２のフランジ７３を挟み込む状態とする。
【００３８】
このとき、前記嵌入管状部５の４個のピン孔５ａ、前記中間管状体２１の４個のピン孔２１ｃが各々合致した位置となる。
【００３９】
次に、図２下欄に示すように、足場側基体１１の調製用外側管状部１３を前記中間管状体２１にねじ込み装着する。
【００４０】
すなわち、最初に調製用外側管状部１３の雌ネジ１３ｂを中間管状体２１の雄ネジ２１ｂに螺合しつつ回転させ、雌ネジ１３ｂと雄ネジ２１ｂとの螺合が解除されたら調製用外側管状部１３を前記挟み片２２側に更にスライドさせ、次いで調製用外側管状部１３の雌ネジ１３ａを中間管状体２１の雄ネジ２１ａに螺合させるとともに、調製用外側管状部１３の雌ネジ１３ｂを中間管状体２１の雄ネジ２１ｂに螺合させて調製用外側管状部１３の一端部が中間管状体２１の前記挟み片２２に当接する位置までねじ込む。
【００４１】
このとき、前記嵌入管状部５の４個のピン孔５ａ、前記中間管状体２１の４個のピン孔２１ｃ、前記調製用外側管状部１３の４個のピン孔１３ｃが各々合致した状態となる。
【００４２】
この状態で、所要数（３個、４個等）の各固定ピン６を前記各ピン孔に差し込むことで、前記調製用外側管状部１３、前記中間管状体２１、前記嵌入管状部５が３重の状態で位置決め連結される。
【００４３】
一方、鳥居型建枠５３における垂直支柱５３ｂと、前記足場連結部１２とは、直交クランプ７を用いて固定連結する。
【００４４】
以上説明した本実施例に係るＨ鋼用連結固定具１によれば、以下の効果を奏する。
【００４５】
すなわち、このＨ鋼用連結固定具１の建造物７１側のＨ鋼７２に対する取り付け構造が、両挟み片４、２２による挟み込み方式であるため、Ｈ鋼７２に対する取り付けが極めて簡略容易となる。
【００４６】
また、仮設足場５１側の足場連結部１２を鳥居型建枠５３に対する連結最適位置とすることができ、仮設足場５１内の作業員が往来する空間領域に足場連結部１２が突出するような不都合はなくなり、これにより、特にＨ鋼７２側における取り付け作業性に優れ、作業員の安全性も確保することが可能となる。
【００４７】
更に、前記各ピン孔、固定ピン６から構成さるる位置決め固定機構部を付加していることから、仮設足場５１と建造物７１側に設けたＨ鋼７２のフランジ７３とを、前記各要素間に位置ずれを生じさせることなく確実に連結することができ、連結構造が強固となる利点がある。
【００４８】
更にまた、前記ネジ連結機構部により、足場側基体１１と中間管状体２１との連結強度を高め、中間管状体２１の挟み片２２と、建造物側基体２の挟み片４との両者により、Ｈ鋼７２のフランジ７３をより強固に挟み込むことができ、この点からも連結構造が強固となる利点がある。
【００４９】
次に、図３を参照して本実施例に係るＨ鋼用連結固定具１を、仮設足場５１とＨ鋼７２との間隔が大きい場合に適用する例をについて説明する。
【００５０】
この場合には、図３に示すように、前記両挟み片４、挟み片２２によりＨ鋼７２のフランジ７３を挟み込む態様は記述した場合と同様であるが、前記中間管状体２１に対する足場側基体１１のスライド位置決め固定位置が異なり、中間管状体２１のＨ鋼７２側の端部と足場連結部１２の突出方向中央位置Ｐとの寸法が４３５ｍｍとなっていることが特徴である。
【００５１】
このとき、中間管状体２１の図３に最も右側のピン孔２１ｃに対して、足場側基体１１の持つとも左側のピン孔１１ａが固定ピン６により位置決め固定されている。この他の取り付け構造は既述した場合と略同様である。
【００５２】
次に、図４を参照して本実施例に係るＨ鋼用連結固定具１を、フランジ寸法が一層大きい（フランジ寸法＝３００ｍｍ）Ｈ鋼７２に取り付ける例について説明する。
【００５３】
この場合には、図４に示すように、中間管状体２１と足場側基体１１との重合構造は図１に示す場合と同様であるが、前記両挟み片４、挟み片２２によりＨ鋼７２のフランジ７３を挟み込む態様が既述した場合とは異なり、前記建造物側基体２の嵌入管状部５をＨ鋼７２のフランジ寸法に対応して中間管状体２１に小寸法嵌め込む態様とし、前記両挟み片４、挟み片２２の挟み込み幅を３００ｍｍとして、Ｈ鋼用連結固定具１をＨ鋼７２に取り付けるものである。
【００５４】
このようにして、本実施例に係るＨ鋼用連結固定具１によれば、建造物側基体２の挟み片４と、中間管状体２１の挟み片２２とのスライド調整によるＨ鋼７２のフランジ７３に対する挟み込み可能幅は、１００ｍｍから３００ｍｍの範囲で４段階に調整可能であり、また、足場側基体１１の足場連結部１２の連結最適位置と、中間管状体２１のＨ鋼側端部とのスライド調整範囲を、２８５ｍｍから４３０ｍｍの範囲で４段階に調整可能であることから、Ｈ鋼７２のフランジ寸法の大小に柔軟に対応できるとともに、Ｈ鋼７２と仮設足場５１との設置間隔の大小の相違にも柔軟に対応でき、適用用途の広範なＨ鋼用連結固定具１とすることができる。
【００５５】
また、前記のようなＨ鋼用連結固定具１を備える仮設足場５１によれば、この仮設足場５１内の作業員が往来する空間領域に足場連結部１２が突出するような不都合はなくなり、作業員の安全性を確保でき、かつ、確実に建造物７１側のＨ鋼７２に連結固定されることから、倒壊防止等をも図ることが可能な頑強な構造とすることができる。
なお、本考案に係る仮設足場用のＨ鋼用連結固定具における各部分の寸法は、実施例や図示例以外の自在な寸法として構成できることは前述した通りである。
【産業上の利用可能性】
【００５６】
本考案のＨ鋼用連結固定具１は、ビルディング建築現場、一般住宅建築現場、更にはダム等の土木構造物建造場等、種々の場所に構築される仮設足場について広範に適用可能である。
【符号の説明】
【００５７】
１    Ｈ鋼用連結固定具
３    基部
４    挟み片
５    嵌入管状部
５ａ  ピン孔
６    固定ピン
７    直交クランプ
１１    足場側基体
１２    足場連結部
１３    調整用外側管状部
１３ａ  雌ネジ
１３ｂ  雌ネジ
１３ｃ  ピン孔
２１    中間管状体
２１ａ  雄ネジ
２１ｂ  雄ネジ
２１ｃ  ピン孔
２２    挟み片
５１    仮設足場
５３    鳥居型建枠
５３ｂ  垂直支柱
５３ｃ  芯
７１    建造物
７２    Ｈ鋼
７３    フランジ
Ｌ    間隔
Ｐ    突出方向中央位置
【図１】
0003187838.tif 000003
【図２】
0003187838.tif 000004
【図３】
0003187838.tif 000005
【図４】
0003187838.tif 000006
【図５】
0003187838.tif 000007
【図６】
0003187838.tif 000008
【図７】
0003187838.tif 000009